(57)【要約】【課題】  大きな制動トルクを得ることができるとともに、制動トルクを一定の精度に保つことのできるワンウェイダンパーを提供する。【解決手段】  円筒状のハウジング（１１，２１）と、このハウジング（１１，２１）内に収容されるシリコーンオイル（３１）と、回転中心となる中心部４３、この中心部４３から半径方向へ起立してハウジング（１１，２１）内を２分するとともに、流通路４６が設けられている起立部４５を有し、中心部４３および起立部４５がハウジング（１１，２１）内に回転可能に収められるローター４１と、中心部４３を抱持する抱持部５２、この抱持部５２の一端から延び、流通路４６を開閉する自由端部５３で構成されたバルブ体５１と、ハウジング（１１，２１）とローター４１との間からシリコーンオイル（３１）が漏れるのを防止するＯリング６１とで構成する。【選択図】    図１
2006071097.tif 000002
【特許請求の範囲】
【請求項１】
円筒状のハウジングと、
このハウジング内に収容される粘性流体と、
回転中心となる中心部、この中心部から半径方向へ起立して前記ハウジング内を２分するとともに、流通路が設けられている起立部を有し、前記中心部および前記起立部が前記ハウジング内に回転可能に収められるローターと、
前記中心部を抱持する抱持部、この抱持部の一端から延び、前記流通路を開閉する自由端部で構成されたバルブ体と、
前記ハウジングと前記ローターとの間から前記粘性流体が漏れるのを防止するシール部材とで構成した、
ことを特徴とするワンウェイダンパー。
【請求項２】
請求項１に記載のワンウェイダンパーにおいて、
前記自由端部は、前記起立部に対して中心角で１．５度から３．０度回動して離れることにより、前記流通路を開放させて前記ハウジングの内周面に当接する、
ことを特徴とするワンウェイダンパー。
【請求項３】
請求項２に記載のワンウェイダンパーにおいて、
前記ハウジングの内周面に当接する前記自由端部の部分を、前記ハウジングの内周面に当接する傾斜面とした、
ことを特徴とするワンウェイダンパー。
【請求項４】
請求項１から請求項３のいずれか１項に記載のワンウェイダンパーにおいて、
前記抱持部の他端から前記流通路を閉塞しないように延び、前記起立部に当接する当接部を設けた、
ことを特徴とするワンウェイダンパー。
【請求項５】
請求項１から請求項４のいずれか１項に記載のワンウェイダンパーにおいて、
前記ローターを、弾性を有する合成樹脂製とした、
ことを特徴とするワンウェイダンパー。
【請求項６】
請求項１から請求項５のいずれか１項に記載のワンウェイダンパーにおいて、
前記ローターに、前記バルブ体を配置する窪みを設けた、
ことを特徴とするワンウェイダンパー。
【請求項７】
請求項１から請求項６のいずれか１項に記載のワンウェイダンパーにおいて、
前記流通路の断面が前記自由端部側へ向かって順次狭くなっている、
ことを特徴とするワンウェイダンパー。
【請求項８】
請求項１から請求項７のいずれか１項に記載のワンウェイダンパーにおいて、
前記ハウジングの内側に、前記ローターの回転を規制する回転規制部を設けた、
ことを特徴とするワンウェイダンパー。
【請求項９】
請求項１から請求項８のいずれか１項に記載のワンウェイダンパーにおいて、
前記ローターをガラス入り合成樹脂製とし、
前記バルブ体をポリアセタール製とした、
ことを特徴とするワンウェイダンパー。
【請求項１０】
本体に対して入力部が起伏可能に取り付けられた電子機器において、
円筒状のハウジングと、このハウジング内に収容された粘性流体と、回転中心となる中心部、この中心部から半径方向へ起立して前記ハウジング内を２分するとともに、流通路が設けられている起立部を有し、前記中心部および前記起立部が前記ハウジング内に回転可能に収められるローターと、前記中心部を抱持する抱持部、この抱持部の一端から延び、前記流通路を開閉する自由端部で構成されたバルブ体と、前記ハウジングと前記ローターとの間から前記粘性流体が漏れるのを防止するシール部材とで構成したワンウェイダンパーを回動軸として使用し、前記入力部が起立状態から伏倒するのを制動する、
ことを特徴とする電子機器。
【請求項１１】
本体に対してモニター部が起伏可能に取り付けられた電子機器において、
円筒状のハウジングと、このハウジング内に収容された粘性流体と、回転中心となる中心部、この中心部から半径方向へ起立して前記ハウジング内を２分するとともに、流通路が設けられている起立部を有し、前記中心部および前記起立部が前記ハウジング内に回転可能に収められるローターと、前記中心部を抱持する抱持部、この抱持部の一端から延び、前記流通路を開閉する自由端部で構成されたバルブ体と、前記ハウジングと前記ローターとの間から前記粘性流体が漏れるのを防止するシール部材とで構成したワンウェイダンパーを回動軸として使用し、前記モニター部が前記本体上へ伏倒するのを制動する、
ことを特徴とする電子機器。
【請求項１２】
本体に対して入力部を水平方向へ出し入れ可能に収納し、前記本体に対して収納させた前記入力部を付勢部材によって前記本体から押し出す方向へ付勢した電子機器において、
円筒状のハウジングと、このハウジング内に収容された粘性流体と、回転中心となる中心部、この中心部から半径方向へ起立して前記ハウジング内を２分するとともに、流通路が設けられている起立部を有し、前記中心部および前記起立部が前記ハウジング内に回転可能に収められるローターと、前記中心部を抱持する抱持部、この抱持部の一端から延び、前記流通路を開閉する自由端部で構成されたバルブ体と、前記ハウジングと前記ローターとの間から前記粘性流体が漏れるのを防止するシール部材とで構成したワンウェイダンパーで、前記入力部が前記本体から前記付勢部材の付勢力によって飛び出すのを制動する、
ことを特徴とする電子機器。
【発明の詳細な説明】
【技術分野】
【０００１】
この発明は、回動体が一方向へ回転または回動するのを制動するワンウェイダンパー、および、このワンウェイダンパーを使用した電子機器に関するものである。
【背景技術】
【０００２】
従来の上記したワンウェイダンパーとして、円筒状のハウジングと、このハウジング内に収容される粘性流体と、回転中心となる中心部、この中心部から半径方向へ起立してハウジング内を２分するとともに、ハウジングとの間に連通路を形成する制御壁を有し、中心部および制御壁がハウジング内に回転可能に収められるローターと、一端を中心部の制御壁近傍を回転中心とし、他端がハウジングの内面に当接し、ローターとともに回転する制御弁と、ハウジングとローターとの間から粘性流体が漏れるのを防止するシール部材とで構成したものが提案されている。
【特許文献１】特許第２８８２１０９号公報
【発明の開示】
【発明が解決しようとする課題】
【０００３】
上記したワンウェイダンパーは、ハウジングとローターおよび制御弁との隙間がオリフィスとして機能するが、制御弁の回動支点に自由度を持たせているので、制動時のオリフィスが大きく、大きな制動トルクが得られなかった。
【０００４】
この発明は、大きな制動トルクを得ることができるとともに、制動トルクを一定の精度に保つことのできるワンウェイダンパー、および、このワンウェイダンパーバルブを使用した電子機器を提供するものである。
【課題を解決するための手段】
【０００５】
この発明は、以下のような発明である。
（１）この発明のワンウェイダンパーは、円筒状のハウジングと、このハウジング内に収容される粘性流体と、回転中心となる中心部、この中心部から半径方向へ起立して前記ハウジング内を２分するとともに、流通路が設けられている起立部を有し、前記中心部および前記起立部が前記ハウジング内に回転可能に収められるローターと、前記中心部を抱持する抱持部、この抱持部の一端から延び、前記流通路を開閉する自由端部で構成されたバルブ体と、前記ハウジングと前記ローターとの間から前記粘性流体が漏れるのを防止するシール部材とで構成したことを特徴とする。
（２）（１）に記載のワンウェイダンパーにおいて、前記自由端部は、前記起立部に対して中心角で１．５度から３．０度回動して離れることにより、前記流通路を開放させて前記ハウジングの内周面に当接することを特徴とする。
（３）（２）に記載のワンウェイダンパーにおいて、前記ハウジングの内周面に当接する前記自由端部の部分を、前記ハウジングの内周面に当接する傾斜面としたことを特徴とする。
（４）（１）から（３）のいずれか１つに記載のワンウェイダンパーにおいて、前記抱持部の他端から前記流通路を閉塞しないように延び、前記起立部に当接する当接部を設けたことを特徴とする。
（５）（１）から（４）のいずれか１つに記載のワンウェイダンパーにおいて、前記ローターを、弾性を有する合成樹脂製としたことを特徴とする。
（６）（１）から（５）のいずれか１つに記載のワンウェイダンパーにおいて、前記ローターに、前記バルブ体を配置する窪みを設けたことを特徴とする。
（７）（１）から（６）のいずれか１つに記載のワンウェイダンパーにおいて、前記流通路の断面が前記自由端部側へ向かって順次狭くなっていることを特徴とする。
（８）（１）から（７）のいずれか１つに記載のワンウェイダンパーにおいて、前記ハウジングの内側に、前記ローターの回転を規制する回転規制部を設けたことを特徴とする。
（９）（１）から（８）のいずれか１つに記載のワンウェイダンパーにおいて、前記ローターをガラス入り合成樹脂製とし、前記バルブ体をポリアセタール製としたことを特徴とする。
（１０）本体に対して入力部が起伏可能に取り付けられた電子機器において、円筒状のハウジングと、このハウジング内に収容された粘性流体と、回転中心となる中心部、この中心部から半径方向へ起立して前記ハウジング内を２分するとともに、流通路が設けられている起立部を有し、前記中心部および前記起立部が前記ハウジング内に回転可能に収められるローターと、前記中心部を抱持する抱持部、この抱持部の一端から延び、前記流通路を開閉する自由端部で構成されたバルブ体と、前記ハウジングと前記ローターとの間から前記粘性流体が漏れるのを防止するシール部材とで構成したワンウェイダンパーを回動軸として使用し、前記入力部が起立状態から伏倒するのを制動することを特徴とする。
（１１）本体に対してモニター部が起伏可能に取り付けられた電子機器において、円筒状のハウジングと、このハウジング内に収容された粘性流体と、回転中心となる中心部、この中心部から半径方向へ起立して前記ハウジング内を２分するとともに、流通路が設けられている起立部を有し、前記中心部および前記起立部が前記ハウジング内に回転可能に収められるローターと、前記中心部を抱持する抱持部、この抱持部の一端から延び、前記流通路を開閉する自由端部で構成されたバルブ体と、前記ハウジングと前記ローターとの間から前記粘性流体が漏れるのを防止するシール部材とで構成したワンウェイダンパーを回動軸として使用し、前記モニター部が前記本体上へ伏倒するのを制動することを特徴とする。
（１２）本体に対して入力部を水平方向へ出し入れ可能に収納し、前記本体に対して収納させた前記入力部を付勢部材によって前記本体から押し出す方向へ付勢した電子機器において、円筒状のハウジングと、このハウジング内に収容された粘性流体と、回転中心となる中心部、この中心部から半径方向へ起立して前記ハウジング内を２分するとともに、流通路が設けられている起立部を有し、前記中心部および前記起立部が前記ハウジング内に回転可能に収められるローターと、前記中心部を抱持する抱持部、この抱持部の一端から延び、前記流通路を開閉する自由端部で構成されたバルブ体と、前記ハウジングと前記ローターとの間から前記粘性流体が漏れるのを防止するシール部材とで構成したワンウェイダンパーで、前記入力部が前記本体から前記付勢部材の付勢力によって飛び出すのを制動することを特徴とする。
【発明の効果】
【０００６】
この発明のワンウェイダンパーによれば、ローターの起立部に流通路を設け、この流通路をバルブ体の自由端部で開閉する構成としたので、オリフィスとして機能するハウジングとローターとの隙間が狭くなることにより、大きな制動トルクを得ることができるとともに、制動トルクを一定の精度に保つことができる。
そして、自由端部が、起立部に対して中心角で１．５度から３．０度回動して離れることにより、流通路を開放させてハウジングの内周面に当接するようにしたので、流通路を開放させたときに起立部と自由端部との間に残留する粘性流体の量が少なくなることにより、ローターが制動トルクを発生する方向へ回動し始める初期において、起立部と自由端部との間に存在する少量の粘性流体が素速くなくなるため、所期の制動トルクを得ることができる。
さらに、ハウジングの内周面に当接する自由端部の部分を、ハウジングの内周面に当接する傾斜面としたので、自由端部の長さを長くしても自由端部を撓ませることができ、また、自由端部がハウジングの内周面に傾斜面で当接することにより、ハウジングの内周面に当接する自由端部の回動角度（中心角）を精度よく設定することが可能になる。
そして、抱持部の他端から流通路を閉塞しないように延び、起立部に当接する当接部を設けたので、流通路を通過した粘性流体が自由端部に作用して抱持部を中心部から外す力が作用しても、抱持部が中心部から外れるのを当接部が阻止することにより、所期のトルクを安定して発生させることができる。
さらに、ローターを、弾性を有する合成樹脂製としたので、ローターに粘性流体の制動トルクが偏って作用しても、その制動トルクをローターの弾性で吸収できることにより、ローターの損傷、破損を防止することができる。
そして、ローターに、バルブ体を配置する窪みを設けたので、バルブ体の軸方向への移動を規制でき、窪みの深さをバルブ体の厚みとすると、粘性流体の厚さが均一となり、制動トルクの変動がなくなるとともに、制動トルクを一定にすることができる。
さらに、流通路の断面をバルブ体の自由端部側へ向かって順次狭くしたので、非制動方向へのローターの回転にも制動トルクを作用させることができる。
そして、ハウジングの内側に、ローターの回転を規制する回転規制部を設けたので、１回転のワンウェイダンパーとすることができる。
さらに、ローターをガラス入り合成樹脂製とし、バルブ体をポリアセタール製としたので、荷重のかかるローターに強度を持たせることができ、ローターの損傷、破損を防止することができる。
この発明の電子機器によれば、入力部が起立状態から伏倒するのを、または、モニター部が本体上へ伏倒するのを、または、入力部が本体から付勢部材の付勢力によって飛び出すのをワンウェイダンパーによって制動することができ、入力部、モニター部の損傷、破損を防止することができる。
【発明を実施するための最良の形態】
【０００７】
以下、この発明の実施例を図に基づいて説明する。
【０００８】
図１はこの発明の一実施例であるワンウェイダンパーの分解斜視図、図２は図１に示したケースの正面図、図３は図２のＡ−Ａ線による断面図、図４は図３のＢ−Ｂ線に相当するケースの断面図、図５は図１に示したローターの正面図、図６は図５のＣ−Ｃ線による断面図、図７は図５のＤ−Ｄ線による断面図、図８は図１に示した各部品を組み立てたワンウェイダンパーの正面図、図９は図８に示したワンウェイダンパーの平面図、図１０は図８のＥ−Ｅ線による断面図、図１１は図９のＦ−Ｆ線による断面図、図１２および図１３はこの発明の一実施例であるワンウェイダンパーの動作説明図である。
【０００９】
図１において、Ｄはワンウェイダンパーを示し、剛性を有する合成樹脂製、例えば、ポリカーボネート製のケース１１と、このケース１１の開放端を閉塞する剛性を有する合成樹脂製、例えば、ポリカーボネート製のキャップ２１と、キャップ２１で閉塞されるケース１１内に収容される粘性流体としてのシリコーンオイル３１（図１０参照）と、ケース１１内に回転可能に収められ、キャップ２１の貫通孔２３から外部へ突出する作動軸部４８を有する合成樹脂製、例えば、ポリアセタール製のローター４１と、このローター４１に取り付けられる合成樹脂製、例えば、ポリアセタール製のバルブ体５１と、キャップ２１とローター４１との間からシリコーンオイルが漏れるのを防止するシール部材である、例えば、自己潤滑シリコーンゴムで成形したＯリング６１とで構成されている。
なお、ハウジングは、ケース１１と、キャップ２１とで構成されている。
【００１０】
上記したケース１１は、図１〜図４に示すように、有底円筒状のケース本体１２と、このケース本体１２の底の外側に一体的に形成された第１取付部１６と、ケース本体１２の外周に軸方向へ一体的に形成され、両端をリブ２０で補強された第２取付部１８とで構成されている
そして、ケース本体１２には、底の内側に円柱状の凹部からなる軸支部１３が設けられ、外周の軸方向に、内側へ円弧状に突出させた突出部からなる回動規制部１４が底から所定の位置まで軸方向へ設けられ、開放端の内側に、周回した段部１５が設けられている。
そして、第１取付部１６には取付用切欠１７が設けられ、また、第２取付部１８には取付孔１９が設けられている。
なお、回動規制部１４は、ローター４１を構成する中心部４３の外周、および、バルブ体５１を構成する抱持部５２の外周に内周が当接し、ローター４１を構成するフランジ部４７に、ケース本体１２の底と反対側が当接する。
【００１１】
上記したキャップ２１は、図１に示すように、貫通孔２３を有する環状の閉塞部２２と、貫通孔２３の周囲に周回して一体的に設けられ、ケース１１の段部１５内へ挿入される環状突出部２４とで構成されている。
【００１２】
上記したローター４１は、図１、図５〜図７に示すように、ケース１１の軸支部１３内に回転可能に挿入される円柱状の支軸４２と、この支軸４２の一端に同心で連設された円柱状の中心部４３と、この中心部４３から半径方向へ起立させて連設され、ケース本体１２の内周面に当接してケース本体１２内を、回動規制部１４とともに２つの区画Ａ，Ｂ（図１０参照）に区画する起立部４５と、中心部４３の支軸４２と反対側に同心で連設され、ケース本体１２の段部１５内へ回転可能に挿入されるフランジ部４７と、このフランジ部４７の中心部４３と反対側に同心で連設され、キャップ２１から突出するＩカット状の作動軸部４８とで構成されている。
そして、中心部４３および起立部４５には、起立部４５の一側端から中心部４３の外周を経由して起立部４５の他側端へ至る、軸方向へ延びた窪み４４が設けられている。
なお、窪み４４の深さは、バルブ体５１の抱持部５２を中心部４３の窪み４４に装着すると、中心部４３の外周と抱持部５２の外周とが面一になる深さ、すなわち、抱持部５２の厚さとされ、また、窪み４４の長さ（ローター４１の軸方向の長さ）は、バルブ体５１の長さ（バルブ体５１の軸方向の長さ）とされている。
また、起立部４５には、窪み４４にバルブ体５１を装着した状態で、バルブ体５１の自由端部５３へ向かって順次断面が狭くなる流通路４６が設けられている。
そして、流通路４６は、長さ（ローター４１の軸方向の長さ）が窪み４４の長さよりも短く、窪み４４の軸方向の両端部分に設けられていない部分がある。
【００１３】
上記したバルブ体５１は、図１に示すように、ローター４１を構成する中心部４３の窪み４４に装着される円弧状の、中心部４３を抱持する抱持部５２と、この抱持部５３の一端から半径方向と平行に延び、起立部４５の窪み４４内に位置して流通路４６を開閉する自由端部５３とで構成されている。
【００１４】
次に、ワンウェイダンパーＤの組立の一例について説明する。
まず、ケース本体１２の開放端側を上側にしてケース１１を固定し、ケース本体１２内へ適量のシリコーンオイル３１を注入する。
そして、自由端部５３を流通路４６の断面の狭い方に対応させるとともに、抱持部５２を窪み４４に対向させ、抱持部５２の弾性を利用して抱持部５２内へ中心部４３を挿入して抱持部５２に中心部４３を抱持させることにより、ローター４１にバルブ体５１を取り付ける。
次に、支軸４２、中心部４３、起立部４５、フランジ部４７の中心部４３側およびバルブ体５１にシリコーンオイル３１を塗布した後、ケース本体１２内へ支軸４２側からローター４１を挿入する。
【００１５】
このようにしてローター４１をケース本体１２内へ挿入すると、支軸４２が軸支部１３内に回転可能に嵌合し、中心部４３がケース本体１２の底に当接し、中心部４３および抱持部５２が回動規制部１４の内周面に当接し、起立部４５の外周がケース本体１２の内周面に当接するとともに、フランジ部４７が回動規制部１４および段部１５に当接する。
【００１６】
そして、ローター４１の作動軸部４８をＯリング６１に嵌めた後、環状突出部２４側を下側にしてキャップ２１の貫通孔２３内へ作動軸部４８を挿入し、閉塞部２２でケース本体１２の開放端を閉塞する。
【００１７】
このようにしてＯリング６１およびキャップ２１を装着すると、閉塞部２２でケース本体１２の開放端が閉塞され、また、Ｏリング６１がケース本体１２、環状突出部２４、フランジ部４７および作動軸部４８に圧接することにより、ハウジングとローター４１との間からシリコーンオイル３１が漏れるのを防止する。
【００１８】
次に、ケース本体１２の上端とキャップ２１の外縁との間を、例えば、高周波溶着で周回するように溶着して密閉することにより、図８〜図１１に示すように、ワンウェイダンパーＤを組み立てることができ、組立が終了する。
【００１９】
このようにしてワンウェイダンパーＤを組み立てると、ハウジング内は回動規制部１４および起立部４５により、２つの区画Ａ，Ｂに区画される。
【００２０】
次に、動作について説明する。
なお、ワンウェイダンパーＤは、第１取付部１６および／または第２取付部１８によってハウジングが固定されているものとする。
まず、図１２の状態において、ローター４１の作動軸部４８に反時計方向へ回転させる力が作用すると、起立部４５およびバルブ体５１も反時計方向へ回転し始めるので、区画Ａ内のシリコーンオイル３１が加圧され、加圧されたシリコーンオイル３１が自由端部５３を起立部４５へ押圧し、流通路４６を閉塞する。
したがって、区画Ａ内のシリコーンオイル３１がハウジングとローター４１との隙間（オリフィス）を通過して区画Ｂ内へ流れるため、作動軸部４８が反時計方向へ回転するのを制動する。
【００２１】
次に、図１２の状態において、ローター４１の作動軸部４８に時計方向へ回転させる力が作用すると、起立部４５およびバルブ体５１も時計方向へ回転し始めるので、区画Ｂ内のシリコーンオイル３１が加圧され、図１３に示すように、加圧されたシリコーンオイル３１が流通路４６を通過して自由端部５３を押圧し、流通路４６を開放させる。
したがって、区画Ｂ内のシリコーンオイル３１が流通路４６を通過して区画Ａ内へ流れるため、作動軸部４８が時計方向へ回転するのにあまり制動がかからなくなる。
【００２２】
上述したように、この発明の一実施例によれば、ローター４１の起立部４５に流通路４６を設け、この流通路４６をバルブ体５１の自由端部５３で開閉する構成としたので、オリフィスとして機能するハウジングとローター４１との隙間が狭くなることにより、大きな制動トルクを得ることができるとともに、制動トルクを一定の精度に保つことができる。
そして、ローター４１を、弾性を有するポリアセタール製としたので、ローター４１にシリコーンオイル３１の制動トルクが偏って作用しても、その制動トルクをローター４１の弾性で吸収できることにより、ローター４１の損傷、破損を防止することができる。
さらに、ローター４１に、バルブ体５１を配置する窪み４４を設けたので、バルブ体５１の軸方向への移動を規制でき、窪み４４の深さをバルブ体５１の厚みとすると、シリコーンオイル３１の厚さが均一となり、制動トルクの変動がなくなるとともに、制動トルクを一定にすることができる。
そして、流通路４６の断面をバルブ体５１の自由端部５３側へ向かって順次狭くしたので、非制動方向へのローター４１の回転にも制動トルクを作用させることができる。
さらに、ケース本体１２の内側に、ローター４１の回転を規制する回転規制部１４を設けたので、１回転のワンウェイダンパーＤとすることができる。
【００２３】
図１４はこの発明の他の実施例であるワンウェイダンパーの分解斜視図、図１５は図１４に示したローターの窪みに図１４に示したバルブ体を取り付け、Ｘ方向から見た図、図１６および図１７はこの発明の他の実施例であるワンウェイダンパーの動作説明図であり、図１〜図１３と同一または相当部分に同一符号が付してある。
【００２４】
この実施例が先の実施例と異なるところは、バルブ体５１の自由端部５３が、図１７に示すように、ローター４１の起立部４５に対して中心角αで１．５度から３．０度、さらに好ましくは起立部４５に対して中心角αで２．０度回動して離れることにより、流通路４６を開放させてケース１１の内周面に当接する点と、ケース１１の内周面に当接するバルブ体５１の自由端部５３の部分を、ケース１１の内周面に当接する傾斜面５４とした点と、図１５に示すように、バルブ体５１を構成する抱持部５２の他端からローター４１の流通路４６を閉塞しないように延び、起立部４５に当接する当接部５５を設けた点とである。
なお、当接部５５は、２つに分割された流通路４６に対応する部分に切欠５６が設けられることにより、流通路４６を閉塞しないようになっている。
【００２５】
この実施例のワンウェイダンパーＤの組立は先の実施例と同様になるので、その説明を省略し、動作について説明する。
なお、ワンウェイダンパーＤは、第１取付部１６および／または第２取付部１８によってハウジングが固定されているものとする。
【００２６】
まず、図１６の状態において、ローター４１の作動軸部４８に反時計方向へ回転させる力が作用すると、起立部４５およびバルブ体５１も反時計方向へ回転し始めるので、区画Ａ内のシリコーンオイル３１が加圧され、加圧されたシリコーンオイル３１が自由端部５３を起立部４５へ押圧し、流通路４６を閉塞する。
したがって、区画Ａ内のシリコーンオイル３１がハウジングとローター４１との隙間（オリフィス）を通過して区画Ｂ内へ流れるため、作動軸部４８が反時計方向へ回転するのを制動する。
【００２７】
次に、図１６の状態において、ローター４１の作動軸部４８に時計方向へ回転させる力が作用すると、起立部４５およびバルブ体５１も時計方向へ回転し始めるので、区画Ｂ内のシリコーンオイル３１が加圧され、図１７に示すように、加圧されたシリコーンオイル３１が流通路４６を通過して自由端部５３を押圧し、流通路４６を開放させる。
このようにして自由端部５３が流通路４６を開放させるとき、自由端部５３はローター４１の起立部４５に対して中心角αで、例えば、２．０度回動して離れることにより、流通路４６を開放させてケース１１の内周面に当接する。
したがって、区画Ｂ内のシリコーンオイル３１が流通路４６を通過して区画Ａ内へ流れるため、作動軸部４８が時計方向へ回転するのにあまり制動がかからなくなる。
【００２８】
この実施例によれば、先の実施例と同様な効果が得られるとともに、自由端部５３が、起立部４５に対して中心角αで１．５度から３．０度内の２．０度回動して離れることにより、流通路４６を開放させてケース１１の内周面に当接するようにしたので、流通路４６を開放させたときに起立部４５と自由端部５３との間に残留するシリコーンオイル３１の量が少なくなることにより、ローター４１が制動トルクを発生する方向へ回動し始める初期において、起立部４５と自由端部５３との間に存在する少量のシリコーンオイル３１が素速くなくなるため、所期の制動トルクを得ることができる。
なお、自由端部５３が、起立部４５に対して中心角αで５．０度以上回動すると、起立部４５と自由端部５３との間に残留するシリコーンオイル３１の量が多くなることにより、ローター４１が制動トルクを発生する方向へ回動し始める初期において、起立部４５と自由端部５３との間に存在する多量のシリコーンオイル３１が素速くなくならないため、所期の制動トルクを得ることができなくなる。
そして、ケース１１の内周面に当接する自由端部５３の部分を、ケース１１の内周面に当接する傾斜面５４としたので、自由端部５３の長さを長くしても自由端部５３を撓ませることができ、また、自由端部５３がケース１１の内周面に傾斜面５４で当接することにより、ケース１１の内周面に当接する自由端部５３の回動角度（中心角）を精度よく設定することが可能になる。
さらに、抱持部５２の他端から流通路４６を閉塞しないように延び、起立部４５に当接する当接部５５を設けたので、流通路４６を通過したシリコーンオイル３１が自由端部５３に作用して抱持部５２を中心部４３から外す力が作用しても、抱持部５２が中心部４３から外れるのを当接部５５が阻止することにより、所期のトルクを安定して発生させることができる。
【００２９】
図１８はこの発明のワンウェイダンパーを使用した電子機器の一例を示す説明図である。
【００３０】
図１８において、ＰＡは電子機器としてのパーソナルコンピュータを示し、本体Ｏに対して入力部Ｉが起伏可能に取り付けられ、回動部分Ｘの回動軸として上記したワンウェイダンパーが使用されている。
そして、ワンウェイダンパーは、本体Ｏに沿うように起立させた状態から入力部Ｉを伏倒させるときに制動トルクが発生するように取り付けられている。
【００３１】
このパーソナルコンピュータＰＡを使用する場合、入力部Ｉを起立状態に維持する、図示を省略してロック機構のロックを解除し、入力部Ｉの上端を少し手前に引くと、入力部Ｉが自重で伏倒するが、この入力部Ｉの伏倒がワンウェイダンパーによって制動される。
【００３２】
図１９はこの発明のワンウェイダンパーを使用した電子機器の他の例を示す説明図である。
【００３３】
図１９において、ＰＢは電子機器としてのパーソナルコンピュータを示し、本体Ｏに対してモニター部Ｍが起伏可能に取り付けられ、回動部分Ｘの回動軸として上記したワンウェイダンパーが使用されている。
そして、ワンウェイダンパーは、起立状態のモニターＭを本体Ｏ上へ伏倒させるときに制動トルクが発生するように取り付けられている。
【００３４】
このパーソナルコンピュータＰＢの使用を終了する場合、起立しているモニター部Ｍの上端を手前に引いてモニター部Ｍを本体Ｏ上へ伏倒させると、モニター部Ｍの伏倒がワンウェイダンパーによって制動される。
【００３５】
図２０はこの発明のワンウェイダンパーを使用した電子機器のさらに他の例を示す説明図である。
【００３６】
図２０において、ＰＣは電子機器としてのパーソナルコンピュータを示し、本体Ｏに対して入力部Ｉを水平方向へ出し入れ可能に収納し、本体Ｏに対して収納させた入力部Ｉを、図示を省略した付勢部材によって本体Ｏから押し出す方向へ付勢する構成とされている。
そして、ワンウェイダンパーは、本体Ｏから入力部Ｉが突出するときに制動トルクが発生するように取り付けられている。
【００３７】
このパーソナルコンピュータＰＣを使用する場合、本体Ｏに入力部Ｉを収納させた状態で、図示を省略してロック機構のロックを解除すると、付勢部材の付勢力によって入力部Ｉが本体Ｏから突出するが、例えば、この入力部Ｉを搬送する搬送台に設けられているラックに噛み合う歯車機構がワンウェイダンパーの作動軸部を回動させることにより、本体Ｏから飛び出す入力部Ｉがワンウェイダンパーによって制動される。
【００３８】
上述したように、この発明のパーソナルコンピュータＰＡ〜ＰＣによれば、入力部Ｉが起立状態から伏倒するのを、または、モニター部Ｍが本体Ｏ上へ伏倒するのを、または、入力部Ｉが本体Ｏから付勢部材の付勢力によって飛び出すのをワンウェイダンパーによって制動することができ、入力部Ｉ、モニター部Ｍの損傷、破損を防止することができる。
【００３９】
上記した実施例では、ローター４１をポリアセタール樹脂で成形した例を示したが、ローター４１を、３０重量％のガラス入り合成樹脂製とすることにより、荷重のかかるローター４１に強度を持たせることができるとともに、熱膨張率を小さく抑えることができ、ローター４１の損傷、破損を防止することができるとともに、温度変化による寸法の変化を小さく抑えることができる。
【図面の簡単な説明】
【００４０】
【図１】この発明の一実施例であるワンウェイダンパーの分解斜視図である。
【図２】図１に示したケースの正面図である。
【図３】図２のＡ−Ａ線による断面図である。
【図４】図３のＢ−Ｂ線に相当するケースの断面図である。
【図５】図１に示したローターの正面図である。
【図６】図５のＣ−Ｃ線による断面図である。
【図７】図５のＤ−Ｄ線による断面図である。
【図８】図１に示した各部品を組み立てたワンウェイダンパーの正面図である。
【図９】図８に示したワンウェイダンパーの平面図である。
【図１０】図８のＥ−Ｅ線による断面図である。
【図１１】図９のＦ−Ｆ線による断面図である。
【図１２】この発明の一実施例であるワンウェイダンパーの動作説明図である。
【図１３】この発明の一実施例であるワンウェイダンパーの動作説明図である。
【図１４】この発明の他の実施例であるワンウェイダンパーの分解斜視図である。
【図１５】図１４に示したローターの窪みに図１４に示したバルブ体を取り付け、Ｘ方向から見た図である。
【図１６】この発明の他の実施例であるワンウェイダンパーの動作説明図である。
【図１７】この発明の他の実施例であるワンウェイダンパーの動作説明図である。
【図１８】この発明のワンウェイダンパーを使用した電子機器の一例を示す説明図である。
【図１９】この発明のワンウェイダンパーを使用した電子機器の他の例を示す説明図である。
【図２０】この発明のワンウェイダンパーを使用した電子機器のさらに他の例を示す説明図である。
【符号の説明】
【００４１】
Ｄ      ワンウェイダンパー
１１    ケース（ハウジング）
１２    ケース本体
１３    軸支部
１４    回動規制部
１５    段部
１６    第１取付部
１７    取付用切欠
１８    第２取付部
１９    取付孔
２０    リブ
２１    キャップ（ハウジング）
２２    閉塞部
２３    貫通孔
２４    環状突出部
３１    シリコーンオイル（粘性流体）
４１    ローター
４２    支軸
４３    中心部
４４    窪み
４５    起立部
４６    流通路
４７    フランジ部
４８    作動軸部
５１    バルブ体
５２    抱持部
５３    自由端部
５４    傾斜面
５５    当接部
５６    切欠
６１    Ｏリング（シール部材）
Ａ，Ｂ  区画
α      中心角
ＰＡ    パーソナルコンピュータ（電子機器）
ＰＢ    パーソナルコンピュータ（電子機器）
ＰＣ    パーソナルコンピュータ（電子機器）
Ｏ      本体
Ｉ      入力部
Ｍ      モニター部
Ｘ      回動部分
【図１】
2006071097.tif 000003
【図２】
2006071097.tif 000004
【図３】
2006071097.tif 000005
【図４】
2006071097.tif 000006
【図５】
2006071097.tif 000007
【図６】
2006071097.tif 000008
【図７】
2006071097.tif 000009
【図８】
2006071097.tif 000010
【図９】
2006071097.tif 000011
【図１０】
2006071097.tif 000012
【図１１】
2006071097.tif 000013
【図１２】
2006071097.tif 000014
【図１３】
2006071097.tif 000015
【図１４】
2006071097.tif 000016
【図１５】
2006071097.tif 000017
【図１６】
2006071097.tif 000018
【図１７】
2006071097.tif 000019
【図１８】
2006071097.tif 000020
【図１９】
2006071097.tif 000021
【図２０】
2006071097.tif 000022